(57)【要約】【課題】未使用時の安全柵をかご室内に収容しておくことができるエレベーターのかご装置を提供する。【解決手段】エレベーターのかご装置において、エレベーターのかご室１０に設けられたかご室パネル１２と、かご室パネル１２の一部に形成された開口部又は凹部を塞ぐように設けられ、開口部又は凹部から取り外し可能な安全柵２０と、安全柵２０を開口部又は凹部に着脱可能に固定する固定手段と、を備え、かご室パネル１２と開口部又は凹部に固定手段により固定された安全柵２０とでかご室１０の内壁面が構成される。【選択図】図１
2015174717.tif 000002
【特許請求の範囲】
【請求項１】
エレベーターのかご室に設けられたかご室パネルと、
前記かご室パネルの一部に形成された開口部を塞ぐように設けられ、前記開口部から取り外し可能な安全柵と、
前記安全柵を前記開口部に着脱可能に固定する固定手段と、を備え、
前記かご室パネルと前記開口部に前記固定手段により固定された前記安全柵とで前記かご室の内壁面が構成されるエレベーターのかご装置。
【請求項２】
前記開口部における前記かご室の外側に設けられた安全棒を備えた請求項１に記載のエレベーターのかご装置。
【請求項３】
前記開口部は、前記かご室の外側に設けられたトランクルームへと通じる請求項１に記載のエレベーターのかご装置。
【請求項４】
前記安全柵は、
第１の柵パネルと、
前記第１の柵パネルの一端に折りたたみ可能に設けられた第２の柵パネルと、
前記第１の柵パネルの他端に折りたたみ可能に設けられた第３の柵パネルと、を備え、
折りたたまれた状態で前記第１の柵パネルが前記かご室の内壁面の一部として露出するように前記開口部に固定される請求項１から請求項３のいずれか一項に記載のエレベーターのかご装置。
【請求項５】
エレベーターのかご室に設けられたかご室パネルと、
前記かご室パネルの一部に形成された凹部に設けられ、前記凹部から取り外し可能な安全柵と、
前記安全柵を前記凹部に着脱可能に固定する固定手段と、を備え、
前記かご室パネルと前記凹部に前記固定手段により固定された前記安全柵とで前記かご室の内壁面が構成されるエレベーターのかご装置。
【請求項６】
前記安全柵は、
第１の柵パネルと、
前記第１の柵パネルの一端に折りたたみ可能に設けられた第２の柵パネルと、
前記第１の柵パネルの他端に折りたたみ可能に設けられた第３の柵パネルと、を備え、
折りたたまれた状態で前記第１の柵パネルが前記かご室の内壁面の一部として露出するように前記凹部に固定される請求項５に記載のエレベーターのかご装置。
【発明の詳細な説明】
【技術分野】
【０００１】
この発明は、エレベーターのかご装置に関するものである。
【背景技術】
【０００２】
従来においては、エレベーターの出入口周辺の乗場に設置されて作業領域への不特定者の侵入を防止する安全柵は、未使用時にはエレベーターの機械室又は倉庫等に保管されていた（例えば、特許文献１の段落０００３、０００４参照）。
【先行技術文献】
【特許文献】
【０００３】
【特許文献１】特開２００２−３０２３５５号公報
【発明の概要】
【発明が解決しようとする課題】
【０００４】
しかしながら、特許文献１に示された従来技術においては、安全柵を使用する際に保管場所であるエレベーターの機械室又は倉庫等に取りに行かなくてはならない。そして、これらの保管場所から使用場所である乗場にまで安全柵を運搬する必要があるため、運搬距離が長くなってしまう。
【０００５】
この発明は、このような課題を解決するためになされたもので、未使用時の安全柵をかご室内に収容しておくことができるエレベーターのかご装置を得るものである。
【課題を解決するための手段】
【０００６】
この発明に係るエレベーターのかご装置においては、エレベーターのかご室に設けられたかご室パネルと、前記かご室パネルの一部に形成された開口部を塞ぐように設けられ、前記開口部から取り外し可能な安全柵と、前記安全柵を前記開口部に着脱可能に固定する固定手段と、を備え、前記かご室パネルと前記開口部に前記固定手段により固定された前記安全柵とで前記かご室の内壁面が構成される。
【０００７】
あるいは、エレベーターのかご室に設けられたかご室パネルと、前記かご室パネルの一部に形成された凹部に設けられ、前記凹部から取り外し可能な安全柵と、前記安全柵を前記凹部に着脱可能に固定する固定手段と、を備え、前記かご室パネルと前記凹部に前記固定手段により固定された前記安全柵とで前記かご室の内壁面が構成される。
【発明の効果】
【０００８】
この発明に係るエレベーターのかご装置においては、未使用時の安全柵をかご室内に収容しておくことができるという効果を奏する。また、安全柵を使用する際には、かご室内から安全柵を取り外して使用すればよいため、安全柵を長距離にわたって運搬する必要がないという効果も併せ奏する。
【図面の簡単な説明】
【０００９】
【図１】この発明の実施の形態１に係るエレベーターのかご装置のかご室内を模式的に示す図である。
【図２】図１において着脱式安全柵を取り外した状態を模式的に示す図である。
【図３】この発明の実施の形態１に係るエレベーターのかご装置の要部を拡大して示す断面図である。
【図４】この発明の実施の形態１に係るエレベーターのかご装置が備える着脱式安全柵の折りたたまれた状態を示す斜視図である。
【図５】図４中のＡ部を拡大して示す図である。
【図６】この発明の実施の形態１に係るエレベーターのかご装置が備える着脱式安全柵の展開した状態を示す斜視図である。
【図７】この発明の実施の形態２に係るエレベーターのかご装置の要部を拡大して示す断面図である。
【図８】この発明の実施の形態３に係るエレベーターのかご装置の要部を拡大して示す断面図である。
【発明を実施するための形態】
【００１０】
この発明を添付の図面に従い説明する。各図を通じて同符号は同一部分又は相当部分を示しており、その重複説明は適宜に簡略化又は省略する。
【００１１】
実施の形態１．
図１から図６は、この発明の実施の形態１に係るもので、図１はエレベーターのかご装置のかご室内を模式的に示す図、図２は図１において着脱式安全柵を取り外した状態を模式的に示す図、図３はエレベーターのかご装置の要部を拡大して示す断面図、図４はエレベーターのかご装置が備える着脱式安全柵の折りたたまれた状態を示す斜視図、図５は図４中のＡ部を拡大して示す図、図６は着脱式安全柵の展開した状態を示す斜視図である。
【００１２】
図１は、エレベーターのかご装置のかご室１０の内部を示している。この図１は、かごの出入口からかご室１０の奥側を見た状態である。かご室１０の底部には、かご床１１が設けられている。かご室１０内の左右両側と奥側には、かご室パネルが設けられている。このかご室パネルのうち、特に奥側に設けられているのが背面パネル１２である。
【００１３】
図２に示すように、背面パネル１２の下側すなわちかご床１１に近接する側には、開口部１３が形成されている。したがって、この開口部１３は、かご室パネルの一部に形成される。そして、図１に示すように、この開口部１３には、着脱式安全柵２０が取り付けられる。着脱式安全柵２０は開口部１３を覆うように設けられる。着脱式安全柵２０は開口部１３から取り外し可能である。着脱式安全柵２０を開口部１３から取り外した状態が図２である。
【００１４】
図３は、この着脱式安全柵２０が取り付けられた部分を拡大した断面図である。図２及び図３に示すように、開口部１３には、安全棒１４が設けられている。安全棒１４は、開口部１３におけるかご室１０の外側に配置される。
【００１５】
図４は、開口部１３が取り外され、折りたたまれた状態の着脱式安全柵２０を示すものである。着脱式安全柵２０は、第１の柵パネル２１、第２の柵パネル２２及び第３の柵パネル２３を備える。第２の柵パネル２２は、第１の柵パネル２１の一端に取り付けられている。第３の柵パネル２３は、第１の柵パネル２１の他端に取り付けられている。第２の柵パネル２２及び第３の柵パネル２３は、それぞれ第１の柵パネル２１に対し折りたたみ可能なように丁番２４を介して取り付けられている。
【００１６】
第１の柵パネル２１の上縁部（例えば図４中のＡ部）には、着脱式安全柵２０を開口部１３に着脱可能に固定するための固定手段が設けられている。この固定手段の構成を図５を参照しながら説明する。第１の柵パネル２１の上端面には、かんぬき穴３１が形成されている。このかんぬき穴３１内には、かんぬき棒３２が挿入されて設けられている。
【００１７】
かんぬき棒３２は、かんぬき穴３１内に収納された収納位置と、かんぬき穴３１から第１の柵パネル２１の上方へと突出した突出位置との間で移動可能に設けられている。第１の柵パネル２１の正面には、鍵穴３３が設けられている。鍵穴３３は、第１の柵パネル２１の正面の上縁部におけるかんぬき穴３１に対応した位置に配置される。
【００１８】
鍵穴３３を回転させると、これに連動してかんぬき棒３２が移動するようになっている。具体的にここでは、鍵穴３３が横に寝た位置では、かんぬき棒３２は収納位置にある（図５の（ａ））。鍵穴３３に合う鍵を差し込み、鍵穴３３が縦になるように回転させると、この鍵穴３３の回転に連動して、かんぬき棒３２が収納位置から突出位置へと移動する（図５の（ｂ））。
【００１９】
ここでは、このように構成されたかんぬき穴３１、かんぬき棒３２及び鍵穴３３が、２組設けられている。
【００２０】
以上のように構成された着脱式安全柵２０を、背面パネル１２の開口部１３に取り付けて固定する際には、まず、鍵穴３３を回してかんぬき棒３２を収納位置に配置する。この状態で、着脱式安全柵２０を折りたたみ、第１の柵パネル２１がかご室１０の内側となるようにして開口部１３内に入れる。
【００２１】
そして、鍵穴３３を回してかんぬき棒３２を突出位置へと移動させる。すると、かんぬき棒３２が背面パネル１２の裏側に配置される。このかんぬき棒３２が背面パネル１２の裏側に引っかかることで、着脱式安全柵２０は開口部１３に固定される。着脱式安全柵２０を取り外す際には、取り付ける際とは逆の手順で行えばよい。
【００２２】
このように、かんぬき穴３１、かんぬき棒３２及び鍵穴３３は、着脱式安全柵２０を開口部１３に着脱可能に固定する固定手段を構成している。なお、突出位置にあるかんぬき棒３２を背面パネル１２の裏側に引っかけるようにする代わりに、背面パネル１２にかんぬき棒３２が挿入される受け穴を設けるようにしてもよい。
【００２３】
ここで、図１及び図３に示すように、開口部１３に固定手段により固定された着脱式安全柵２０のかご室１０内側に露出した面と、背面パネル１２のかご室１０内側の面とは、面一となっている。そして、背面パネル１２を含むかご室パネルと、開口部１３に固定手段により固定された着脱式安全柵２０とで、かご室１０の内壁面が構成されている。
【００２４】
ここでは、着脱式安全柵２０は、折りたたまれた状態で第１の柵パネル２１がかご室１０の内壁面の一部として露出するように開口部１３に固定されている。したがって、第１の柵パネル２１のかご室１０の内壁面の一部として露出する側の面は、背面パネル１２と同様の化粧仕上げを施しておくことが意匠上好ましい。
【００２５】
そして、必要時には、作業員が持つ鍵を用いて鍵穴３３を回すことにより、着脱式安全柵２０を開口部１３から取り外すことができる。こうして取り外した着脱式安全柵２０は、丁番２４を介して展開して図６に示す状態にすることができる。この図６に示す状態においては、着脱式安全柵２０は自立可能である。
【００２６】
このように展開された着脱式安全柵２０を、例えば保守作業中のエレベーターの乗場における出入口の周辺に置くことで、不用意に利用者が保守作業中のエレベーターの出入口に接近することを防止することができる。
【００２７】
また、着脱式安全柵２０が開口部１３から取り外された際、開口部１３がかご室１０内に露出するため、この開口部１３からかご室１０外に物体等が出てしまう可能性がある。そこで、安全棒１４を設けることで、開口部１３からかご室１０外に物体等が出てしまうことを抑制することができる。
【００２８】
なお、ここでは、着脱式安全柵２０は第１の柵パネル２１、第２の柵パネル２２及び第３の柵パネル２３を備えるいわゆる三面式とした。しかし、着脱式安全柵２０を構成する面数は３面に限られない。例えば、１面又は２面としてもよいし、４面以上としてもよい。ただし、１面にした場合にはそのままでは自立が難しいため、別途収納式又は折りたたみ式の足部を設けることが望ましい。
【００２９】
以上のように構成されたエレベーターのかご装置は、エレベーターのかご室に設けられた背面パネル１２を含むかご室パネルと、かご室パネルである背面パネル１２の一部に形成された開口部１３を塞ぐように設けられ、開口部１３から取り外し可能な着脱式安全柵２０と、着脱式安全柵２０を開口部１３に着脱可能に固定する固定手段であるかんぬき穴３１、かんぬき棒３２及び鍵穴３３と、を備えている。そして、背面パネル１２を含むかご室パネルと開口部１３に固定手段により固定された着脱式安全柵２０とでかご室１０の内壁面が構成される。
【００３０】
このため、未使用時の着脱式安全柵２０をかご室１０内に収容しておくことができる。また、着脱式安全柵２０を使用する際には、かごを作業対象の階床で停止させ、かご室１０内から着脱式安全柵２０を取り外して使用すればよいため、着脱式安全柵２０を作業員がほとんど運搬することなく、作業対象の乗場に着脱式安全柵２０を設置することができる。
【００３１】
実施の形態２．
図７は、この発明の実施の形態２に係るもので、エレベーターのかご装置の要部を拡大して示す断面図である。
ここで説明する実施の形態２は、前述した実施の形態１の構成において、かご室内からトランクルームへと通じる開口部に着脱式安全柵を収容しておくようにしたものである。
【００３２】
すなわち、図７に示すように、かご室１０の外側にはトランクルーム１５が設けられている。このトランクルーム１５は、背面パネル１２の下側すなわちかご床１１に近接する側に形成された開口部１３を介して、かご室１０の内部と繋がっている。すなわち、開口部１３はトランクルーム１５へと通じている。
【００３３】
着脱式安全柵２０は、この開口部１３に取り付けられ、固定手段（かんぬき穴３１、かんぬき棒３２及び鍵穴３３）により固定される。この際、実施の形態１で説明したように背面パネル１２の裏側にかんぬき棒３２を引っかけることはできないため、開口部１３における上壁面にかんぬき棒３２が挿入される受け穴を設けておく。
その他の構成については実施の形態１と同様であって、その詳細説明は省略する。
【００３４】
以上のように構成されたエレベーターのかご装置は、実施の形態１と同様の効果を奏することができるのに加えて、着脱式安全柵２０がトランクルーム１５への扉を兼ねることができる。したがって、トランクルーム１５への扉とは別に着脱式安全柵２０をかご室１０内に収容するようにした場合と比較して、必要となる資材を削減し、かご装置としての構成を簡潔なものとすることができる。
【００３５】
実施の形態３．
図８は、この発明の実施の形態３に係るもので、エレベーターのかご装置の要部を拡大して示す断面図である。
前述した実施の形態１はかご室パネルの開口部に着脱式安全柵を収容しておくものであった。これに対し、ここで説明する実施の形態３は、かご室パネルに開口部に代えて凹部を設け、この凹部に着脱式安全柵を収容するようにしたものである。
【００３６】
すなわち、図８に示すように、背面パネル１２の下側すなわちかご床１１に近接する側には、凹部１６が形成されている。したがって、この凹部１６は、かご室パネルの一部に形成される。そして、この凹部１６には、着脱式安全柵２０が取り付けられる。着脱式安全柵２０は凹部１６を覆うように設けられる。着脱式安全柵２０は凹部１６から取り外し可能である。
【００３７】
着脱式安全柵２０は、固定手段により凹部１６に着脱可能に固定される。この固定手段は、実施の形態１で説明したかんぬき穴３１、かんぬき棒３２及び鍵穴３３により構成することができる。ただし、実施の形態１のように背面パネル１２の裏側にかんぬき棒３２を引っかけることはできないため、凹部１６における上壁面にかんぬき棒３２が挿入される受け穴を設けておく。
【００３８】
着脱式安全柵２０は、実施の形態１と全く同じ構成のものを使用することができる。図８に示すように、凹部１６に固定手段により固定された着脱式安全柵２０のかご室１０内側に露出した面と、背面パネル１２のかご室１０内側の面とは、面一となっている。そして、背面パネル１２を含むかご室パネルと、凹部１６に固定手段により固定された着脱式安全柵２０とで、かご室１０の内壁面が構成されている。また、ここでは、着脱式安全柵２０は、折りたたまれた状態で第１の柵パネル２１がかご室１０の内壁面の一部として露出するように凹部１６に固定されている。
なお、他の構成については実施の形態１と同様であって、その詳細説明は省略する。
【００３９】
以上のように構成されたエレベーターのかご装置は、実施の形態１と同様の効果を奏することができるのに加えて、着脱式安全柵２０を取り外して使用する際にも、かご室１０の外部へと通じる開口が露出することがない。
【符号の説明】
【００４０】
１０  かご室、  １１  かご床、  １２  背面パネル、  １３  開口部、  １４  安全棒、  １５  トランクルーム、  １６  凹部、  ２０  着脱式安全柵、  ２１  第１の柵パネル、  ２２  第２の柵パネル、  ２３  第３の柵パネル、  ２４  丁番、  ３１  かんぬき穴、  ３２  かんぬき棒、  ３３  鍵穴
【図１】
2015174717.tif 000003
【図２】
2015174717.tif 000004
【図３】
2015174717.tif 000005
【図４】
2015174717.tif 000006
【図５】
2015174717.tif 000007
【図６】
2015174717.tif 000008
【図７】
2015174717.tif 000009
【図８】
2015174717.tif 000010